(57)【要約】【課題】浴槽水排水時に排水能力とヘアキャッチャー機能を損なうことがなく、洗い場側からの逆流時には良好に逆流を防ぐことのできる逆流防止弁付きヘアキャッチャーを提供する。【解決手段】浴槽９の排水口１０に設置する上方へ取り外し可能なヘアキャッチャー１５であって、このヘアキャッチャー１５の下に逆流防止弁１６が連結され、浴槽排水口１０から浴槽水が排水される時は、逆流防止弁１６がヘアキャッチャー１５の下方に下がり、洗い場側からの逆流時は逆流防止弁１６が上昇しヘアキャッチャー１５下面に着座するように構成する。【選択図】図２
2008019623.tif 000002
【特許請求の範囲】
【請求項１】
浴槽の排水口に設置する上方へ取り外し可能な逆流防止弁付きヘアキャッチャーであって、該逆流防止弁付きヘアキャッチャーは、ヘアキャッチャーの下に逆流防止弁が連結され、前記浴槽の排水口から浴槽水が排水される時は前記逆流防止弁が前記ヘアキャッチャーの下方に下がり、逆流時は逆流防止弁が上昇しヘアキャッチャー下面に着座するように構成されていることを特徴とする逆流防止弁付きヘアキャッチャー。
【請求項２】
前記ヘアキャッチャーは縦方向のガイド部を備え、前記逆流防止弁は前記ガイド部内に上下動可能に挿通される軸部を備えていることを特徴とする請求項１に記載の逆流防止弁付きヘアキャッチャー。
【請求項３】
前記逆流防止弁は、円錐形に形成されていることを特徴とする請求項１または請求項２に記載の逆流防止弁付きヘアキャッチャー。
【請求項４】
前記逆流防止弁の止水面の裏側は円錐状にくり抜かれていることを特徴とする請求項１または請求項２または請求項３に記載の逆流防止弁付きヘアキャッチャー。
【発明の詳細な説明】
【技術分野】
【０００１】
本発明は、浴槽の排水口に設置する逆流防止弁付きヘアキャッチャーに関するものである。
【背景技術】
【０００２】
従来、特許文献１に開示されているように、浴槽の排水口に設置される逆流防止栓に、排水中の浮遊物や髪の毛の捕集を行える程度の大きさ又は形状の通水孔を設け、逆流防止栓にヘアキャッチャー機能を付加したものがある。
【特許文献１】特開２００１−３１１１９７号公報
【発明の開示】
【発明が解決しようとする課題】
【０００３】
上記特許文献１の逆流防止栓では、ヘアキャッチャー機能を持たせるためには、小径の通水孔を多数設ける必要があり、このような通水孔が存在すると、浴槽水を排水する時に十分な排水流量を確保できなくなり、浴槽水排水時の排水能力が低下してしまうという問題点があった。
【課題を解決するための手段】
【０００４】
本発明は上記従来の問題点に鑑み案出したものであって、排水能力とヘアキャッチャー機能を損なうことのない逆流防止弁付きヘアキャッチャーを提供するものであり、その請求項１は、浴槽の排水口に設置する上方へ取り外し可能な逆流防止弁付きヘアキャッチャーであって、該逆流防止弁付きヘアキャッチャーは、ヘアキャッチャーの下に逆流防止弁が連結され、前記浴槽の排水口から浴槽水が排水される時は、前記逆流防止弁が前記ヘアキャッチャーの下方に下がり、逆流時は逆流防止弁が上昇しヘアキャッチャー下面に着座するように構成されていることである。
【０００５】
また請求項２は、前記ヘアキャッチャーは縦方向のガイド部を備え、前記逆流防止弁は前記ガイド部内に上下動可能に挿通される軸部を備えていることである。
【０００６】
また請求項３は、前記逆流防止弁は、円錐形に形成されていることである。
【０００７】
また請求項４は、前記逆流防止弁の止水面の裏側は円錐状にくり抜かれていることである。
【発明の効果】
【０００８】
本発明は、浴槽の排水口に設置する上方へ取り外し可能な逆流防止弁付きヘアキャッチャーであって、該逆流防止弁付きヘアキャッチャーは、ヘアキャッチャーの下に逆流防止弁が連結され、前記浴槽の排水口から浴槽水が排水される時は前記逆流防止弁が前記ヘアキャッチャーの下方に下がり、逆流時は逆流防止弁が上昇しヘアキャッチャー下面に着座するように構成されていることにより、浴槽水を排水する時には、逆流防止弁がヘアキャッチャーの下方に下がり、浴槽水の十分な排水流量が得られて排水能力が損なわれることがなく、また、洗い場排水が浴槽側へ逆流してきた時には、逆流防止弁が上昇しヘアキャッチャー下面に着座することで、逆流水の浴槽内への流入を確実に阻止することができるものとなる。
また、ヘアキャッチャーにより浴槽排水中に含まれている髪の毛等を良好に捕集することができ、上方へ取り外して良好にメンテナンスすることができるものである。
【０００９】
また、前記ヘアキャッチャーは縦方向のガイド部を備え、前記逆流防止弁は前記ガイド部内に上下動可能に挿通される軸部を備えていることにより、ヘアキャッチャーのガイド部内に逆流防止弁の軸部が挿通されて、ガイド部にガイドされて軸部が上下方向に移動し、逆流防止弁はヘアキャッチャーの下方で良好に上下動して、ヘアキャッチャーから離れたり、ヘアキャッチャーに着座することができる。
【００１０】
また、前記逆流防止弁は、円錐形に形成されていることにより、浴槽排水の排水時に、平面形状に比べて抵抗が少なく排水性能が高まるものとなり、また、円錐形状により水切り性が良くなり、乾き易く汚れ難いものとなる。
また、洗い場排水が浴槽側へ逆流して逆流防止弁が上昇する時には、円錐形状の斜面がガイドになりヘアキャッチャー側に誘導されることにより、逆流防止弁が傾き難くなり、逆流防止弁をヘアキャッチャー下面に確実に着座させることができ、安定した止水効果が得られるものとなる。
【００１１】
また、前記逆流防止弁の止水面の裏側は円錐状にくり抜かれていることにより、逆流防止弁の裏側のくり抜き部内に空気層ができるため、逆流時に浮力効果が生じて逆流防止弁を上昇させ、ヘアキャッチャー下面に確実に着座させることができ、止水性能が向上することとなる。
【実施例】
【００１２】
以下、本発明の実施例を図面に基づいて説明する。
図１は、排水トラップの取付状態の縦断面構成図であり、図２は、図１の要部拡大縦断面構成図である。
図において、洗い場１ａを形成する洗い場パン１の堤防部１ｂ側には、凹み状に排水枡部１ｃが一体形成されており、この排水枡部１ｃが洗い場側排水口２となっており、排水枡１ｃの底側にフランジ３を介して排水トラップ４が取り付けられている。
この排水トラップ４は、洗い場排水口２の下方のトラップ室４ａ内にフランジ部３から筒状の防臭筒５が垂設されて内部に封水面Ｗが形成されるものであり、トラップ室４ａの上流側には流入口４ｂが開口され、下流側には流出口４ｃが形成されて、この流出口４ｃには排水管６が接続されている。
流入口４ｂから上流側へ略水平に延びて浴槽水導入路４ｄが一体形成されており、この浴槽水導入路４ｂの上流端では上方へ立ち上げて立上筒部４ｅが一体形成されている。この立上筒部４ｅは、浴槽９側の浴槽パン７にフランジ８を介して取り付けられている。
【００１３】
また、浴槽パン７上に設置される浴槽９の底側には、浴槽排水口１０が形成されており、この浴槽排水口１０には、図２に示すように、パッキン１２を介在させて上方より排水口フランジ１３が差し込まれており、この排水口フランジ１３の外周に螺合されて下方には連結筒体１１がパッキン１４を介在させて連結されており、この連結筒部１１の下端に排水トラップ４の立上筒部４ｅが連通接続されている。
排水口フランジ１３内には、上方側へ取り外し可能にヘアキャッチャー１５が設置され、このヘアキャッチャー１５には逆流防止弁１６が連結されており、逆流防止弁１６と一体でヘアキャッチャー１５を排水口フランジ１３から上方へ取り外して良好にメンテナンスできるように構成されている。
【００１４】
なお、図１において、Ｅは堤防部１ｂ上に立設される浴槽のエプロンである。
ヘアキャッチャー１５と逆流防止弁１６は図４の斜視図で示すように組み付けられて排水口フランジ１３に取り付けられるものであり、このヘアキャッチャー１５と逆流防止弁１６の分解斜視図は図３に示す。
【００１５】
図３に示すように、ヘアキャッチャー１５は、大径筒状の拡径筒部１５ａの下部に連続して小径の縮径筒部１５ｂが一体化されており、拡径筒部１５ａの下部外周には、間隔をおいて複数の係合凸部１５ｃ，１５ｃが一体形成されている。また、縮径筒部１５ｂの内側には、例えば５本の横バー１５ｄが設けられており、各横バー１５ｄの中心にはガイド部１５ｆが連結されており、ガイド部１５ｆは上方へ立ち上がった筒体に形成されている。また、縮径筒部１５ｂの内周には、横バー１５ｄ，１５ｄの間にガイド部１５ｆ側へ突出した内周凸部１５ｅが一体形成されている。
一方、逆流防止弁１６は、弁体１７の上面中央部より上方へ一体状に立ち上げて軸部１８が形成されており、軸部１８はヘアキャッチャー１５のガイド部１５ｆ内に上下動可能に挿通できる棒状に形成されており、その上端には嵌合溝１８ａが凹み状に形成されている。
【００１６】
軸部１８をガイド部１５ｆ内に下方より挿通させ、嵌合溝１８ａに上方よりストッパー１９を嵌めごろし状に固定させて、ヘアキャッチャー１５と逆流防止弁１６を図４のように組み付け、その状態でヘアキャッチャー１５を排水口フランジ１３内に上方より差し込み、排水口フランジ１３の下端内周に形成されている係合凹部１３ａにヘアキャッチャーの係合凸部１５ｃ，１５ｃを係合させて、ヘアキャッチャー１５を水平面内で回転させることで、容易にヘアキャッチャー１５を排水口フランジ１３に取り付けできるように構成されている。
なお、逆流防止弁１６の弁体１７の上面の止水面１７ａは円錐形状に形成され、弁体１７の外周端から下方へ垂下状に外周垂下片１７ｂが一体形成されており、この外周垂下片１７ｂの内周側の弁体１７の裏側は、円錐状にくり抜かれた円錐くり抜き部１７ｃとなっている。
【００１７】
浴槽１０内に浴槽水が溜められている時は、浴槽排水口１０に図示しない排水栓が取り付けられているが、この排水栓を取り外して浴槽排水口１０から浴槽水を排水する際には、浴槽水は排水口フランジ１３内に勢い良く流下し、ヘアキャッチャー１５の横バー１５ｄ，内周凸部１５ｅを通過する時に、浴槽水に含まれている髪の毛等が横バー１５ｄ，内周凸部１５ｅに引っ掛かって捕集されるものであり、横バー１５ｄの間を通り十分な流量を確保して浴槽排水が流れ落ちることができ、排水能力は十分に確保されるものである。この際に、浴槽排水に押されて逆流防止弁１６は軸部１８がガイド部１５ｆ内を下方側へ移動して下方に下げられることとなる。
浴槽排水は排水トラップの立上筒部４ｅから浴槽水導入路４ｄを通りトラップ室４ａ内に入り、流出口４ｃから排水管６を通り排出されるものである。
【００１８】
なお、浴槽９内が空の状態で、洗い場１ａから大量の排水が洗い場排水口２を通りトラップ室４ａ内に流入されたような場合には、洗い場排水が浴槽水導入路４ｄを逆流してくるが、逆流水により逆流防止弁１６が浮上して、逆流防止弁１６の止水面１７ａがヘアキャッチャー１５の下面１５ｇ外周に着座し、逆流防止弁１６により浴槽排水口１０が閉ざされて、逆流が確実に防がれるものである。
なお、この逆流時に、逆流防止弁１６の裏側には円錐状の空間である円錐くり抜き部１７ｃが形成されているため、この円錐くり抜き部１７ｃ内に空気層ができ、逆流防止弁１６に浮力効果が生じて、逆流防止弁１６は急速に上昇してヘアキャッチャー１５の下面１５ｇに強固に着座し逆流を防止することができるものである。
【００１９】
なお、逆流防止弁１６の弁体の上面の止水面１７ａは円錐形状に形成されているため、上方から浴槽排水が流下する際に、流れの抵抗が少なく、排水性能が高まるものとなり、また円錐形状であるため水切り性が良く、乾き易く汚れ難いものとなる。
また、洗い場排水が浴槽側へ逆流して逆流防止弁が上昇する時には、止水面１７ａの円錐斜面がガイドになりヘアキャッチャー１５側に誘導されることにより、逆流防止弁１６が傾き難くなり、逆流防止弁１６をヘアキャッチャー１５の下面１５ｇに確実に着座させることができ、安定した止水効果が得られるものとなる。
なお、逆流防止弁１６が下がった状態でも、弁体１７は封水面Ｗよりは上方に位置し、封水に逆流防止弁１６が浸からないために、汚れが付着し難いものとなる。なお、汚れが付着してもヘアキャッチャー１５とともに取り外して、良好にメンテナンスすることができるものである。
【００２０】
なお、このヘアキャッチャー１５および逆流防止弁１６は、硬質樹脂で形成させておけば耐久性にも優れたものとなる。なお、このような逆流防止弁１６付きヘアキャッチャー１５は、従来の逆止弁なしの浴槽９にも後付けで容易に設置することができ、排水トラップ４の交換等が不要である。
【００２１】
図５は、第２実施例を示すものであり、図５ではヘアキャッチャー１５の下面中央部（５本の横バー１５ｄの中心下面）に垂下状に軸部１５ｈが一体形成され、この軸部１５ｈの下端は大径のストッパー１５ｉとなっており、このストッパー１５ｉは軸部１５ｈ下端に嵌めごろし状に固定させるように構成されている。
また、ヘアキャッチャー１５の上面中央部（５本の横バー１５ｄの中心上面）には、上方へ突出して指でつまむことのできるつまみ部１５ｊが一体形成されている。
【００２２】
一方、逆流防止弁１６は、その中央部に上下に貫通してガイド孔１７ｄが形成されており、このガイド孔１７ｄ内にヘアキャッチャー１５の軸部１５ｈを差し込むことができるように構成されている。
ヘアキャッチャー１５の軸部１５ｈに下方よりガイド孔１７ｄを介して逆流防止弁１６を取り付けると、逆流防止弁１６は軸部１５ｈに沿って上下動可能であり、ストッパー１５ｉを軸部１５ｈ下端に嵌めごろし状に固定させると、ストッパー１５ｉで弁体１７の下降を停止させることができる。
なお、弁体１７の上面は円錐形状に形成され、弁体１７の裏面には円錐状にくり抜かれた円錐くり抜き部１７ｃが形成されている等の構成は第１実施例の図２と同様であるため、同一部材については同一符号を付して、その説明を省略する。
【００２３】
図５の構造においても、上方から浴槽排水が流下する際には、軸部１５ｈにガイドされて弁体１７が下降し、流れ抵抗が少なく、良好な排水性能が確保されるものである。また逆流時には、弁体１７が軸部１５ｈにガイドされて良好に上昇し、ヘアキャッチャー１５の下面１５ｇに着座して、浴槽排水口１０が閉ざされ、逆流が確実に防がれるものである。
【００２４】
次に、図６は第３実施例を示すものであり、図６ではヘアキャッチャー１５の下面１５ｇ外周に、棒状のガイドをカゴ状に組んだガイド体２０が連結されており、このガイド体２０はヘアキャッチャー１５と一体で形成しても、別体で形成して連結したものであっても良い。
ガイド体２０の棒状の垂下壁２０ａの下端には略水平に底壁２０ｂが形成され、底壁２０ｂの中央部には開口２０ｃが上下に貫通形成されている。
【００２５】
なお、複数横方向に間隔を置いてカゴ状に配置されたガイド体２０の垂下壁２０ａ内には、垂下壁２０ａに沿って上下動可能に弁体１７が配置されており、この弁体１７は上面が円錐形状をなし、裏面にはくり抜かれた円錐くり抜き部１７ｃが形成されたものである。
なお、ヘアキャッチャー１５は、その上面中央部につまみ部１５ｊが一体形成されており、つまみ部１５ｊを指でつまんで上方へ持ち上げて取り外すことができるものである。
【００２６】
このような構造においても、ガイド体２０の垂下壁２０ａに沿って、その内側で弁体１７が上下動でき、浴槽排水が流下する際には弁体１７が良好に下方へ移動し、排水はカゴ状の垂下壁２０ａ間を通り排水され、逆流時には、弁体１７が上昇して良好にヘアキャッチャー１５の下面１５ｇに着座して、浴槽排水口１０を良好に閉ざすことができるものである。
なお、その他の構成は、第１実施例の図２と同様であるため、同一部材については同一符号を付して、その説明を省略する。
【００２７】
次に、図７は第４実施例であり、図７ではヘアキャッチャー１５の各横バー１５ｄを上方へ膨出状に湾曲させて半球状に形成したものであり、この各横バー１５ｄの中央部に上方へ突出させてつまみ部１５ｊが一体形成されたものである。
このヘアキャッチャー１５の下面中央部に連結紐２１等で中空球状の弁体（ピンポン玉）２２を吊り下げておけば、浴槽排水が流下する際には、弁体２２が下方へ移動して、良好な排水性能が確保されて浴槽排水が流されるものであり、逆流時には、逆流水により弁体２２が浮力で浮上し、弁体２２の球面がヘアキャッチャー１５の半球状の下面１５ｇに着座して、浴槽排水口１０を閉ざし、逆流を防ぐことができるものである。
【図面の簡単な説明】
【００２８】
【図１】排水トラップおよびヘアキャッチャーの取付状態の縦断面構成図である。
【図２】図１におけるヘアキャッチャーの部分の縦断面拡大構成図である。
【図３】ヘアキャッチャーと逆流防止弁の構成部材の分解斜視図である。
【図４】ヘアキャッチャーと逆流防止弁の組付状態の斜視構成図である。
【図５】第２実施例の図２に対応させた縦断面拡大構成図である。
【図６】第３実施例の図２に対応させた縦断面拡大構成図である。
【図７】第４実施例の図２に対応させた縦断面拡大構成図である。
【符号の説明】
【００２９】
１  洗い場パン
１ｃ  排水枡部
２  洗い場側排水口
４  トラップ
４ａ  トラップ室
４ｄ  浴槽水導入路
４ｅ  立上筒部
５  防臭筒
７  浴槽パン
９  浴槽
１０  浴槽排水口
１１  連結筒体
１３  排水口フランジ
１５  ヘアキャッチャー
１５ａ  拡径筒部
１５ｂ  縮径筒部
１５ｃ  係合凸部
１５ｄ  横バー
１５ｅ  内周凸部
１５ｆ  ガイド部
１５ｇ  下面
１５ｈ  軸部
１５ｉ  ストッパー
１５ｊ  つまみ部
１６  逆流防止弁
１７  弁体
１７ａ  止水面
１７ｃ  円錐くり抜き部
１７ｄ  ガイド孔
１８  軸部
２０  ガイド体
２０ａ  垂下壁
２０ｂ  底壁
２０ｃ  開口
２１  連結紐
２２  弁体
【図１】
2008019623.tif 000003
【図２】
2008019623.tif 000004
【図３】
2008019623.tif 000005
【図４】
2008019623.tif 000006
【図５】
2008019623.tif 000007
【図６】
2008019623.tif 000008
【図７】
2008019623.tif 000009